(57)【要約】  当該技術分野においてリフトポイントと言われている物がチェーン、ロープまたはストラップを目的物に連結するために使用される。これらリフトポイントは、２つのリム（１，２）を有し、その間の間隙（５）は、リフトボルト（４）によって橋渡しされる。リフトボルトをその位置に維持するために内蔵型の安全部材が使用され、この安全部材は、リフトボルト（４）の横方向に延びた孔（１０）内に受けられる係止ピン（７）を含む。この係止ピン（７）は、スプリング（８）の作用に抗して、リフトボルト（４）の長手方向に延びた孔（１１）に案内される作動ピン（９）によって安全位置から開放位置へと移動させることができる。
2007533929.tif 000002
【特許請求の範囲】
【請求項１】
リフト装置の２つの側部部材（１，２）間の間隙を橋渡しする役割を果たし、固定式の端部止め（６）とは別の係止位置および開放位置を取ることができる係止部材（７）を内部に有するリフトボルト（４）において、このリフトボルト（４）にはその横手方向に延びた孔（１０）とこれと交差する長手方向に延びた孔（１１）とが設けられており、この横手方向孔（１０）には横手方向孔にブロックボルト（７）と、このブロックボルト（７）を係止位置に強制的に位置せしめるスプリング（８）が配され、長手方向孔（１１）には、ブロックボルト（７）用の作動ボルト（９）が案内され、ブロックボルト（７）は、斜めの面（１７）を有する凹部（１６）を有し、この斜めの面を介して、凹部に案内された作動ボルト（９）の一部によって、スプリングの力に抗して、ブロックボルトをその係止位置から外す動きがブロックボルト（７）に伝わることを特徴とするリフトボルト。
【請求項２】
ブロックボルト（７）の凹部（１６）がラッチカム（１３）のための挿入溝（２３）を有する斜めの面に対向する端部に設けられ、ラッチカムは、ブロックボルト（７）をその作動位置に固定し、作動ボルト（９）の端部に配されていることを特徴とする請求項１記載のリフトボルト。
【請求項３】
ブロックボルト（７）のための孔（１０）の端部に配されたスプリング（８）の作用に抗して挿入溝（２３）の領域内に作動ボルト（９）のラッチカム（１３）を孔（１０）内に強制的に移動させることができることを特徴とする請求項１または２記載のリフトボルト。
【請求項４】
作動ボルト（９）に止め面（１５）が設けられており、作動ボルトの上昇が制限されることを特徴とする請求項１乃至３いずれか１項記載のリフトボルト。
【請求項５】
ブロックボルト（７）の凹部（１６）に案内される作動ボルト（９）の部分に斜めの面が設けられており、その傾斜がブロックボルト（７）の斜めの面の傾斜と一致していることを特徴とする請求項１乃至４いずれか１項記載のリフトボルト。
【請求項６】
ブロックボルト（７）と作動ボルト（９）の斜めの面（１７、１２）が実質的に半円形状であることを特徴とする請求項５記載のリフトボルト。
【請求項７】
ブロックボルト（７）の斜めの面（１７）がブロックボルトの長手方向軸（１８）に対して５０度の角度（α）を形成することを特徴とする請求項１乃至６いずれか１項記載のリフトボルト。
【請求項８】
作動ボルト（９）の斜めの面（１２）が作動ボルトの長手方向軸（１４）に対して４０度の角度（β）を形成することを特徴とする請求項１乃至７いずれか１項記載のリフトボルト。
【請求項９】
作動ボルト（９）のための孔（１１）の長手方向軸（１４）がブロックボルト（７）のための孔（１０）の長手方向軸（１８）に対して実質的に垂直に延びていることを特徴とする請求項１乃至８いずれか１項記載のリフトボルト。
【請求項１０】
ブロックボルト（７）の自由端に斜めの面（１９）が設けられており、リフトボルト（４）がリフト装置（３）の側部部材（１、２）の孔（２０、２１）内に挿入された際に、この面を介して係止位置からブロックボルト（７）を外す力がブロックボルト（７）に伝わることを特徴とする請求項１乃至９いずれか１項記載のリフトボルト。
【発明の詳細な説明】
【技術分野】
【０００１】
本発明は、リフト装置の２つの側部部材間の間隙を橋渡しする役割を果たし、固定式の端部止めとは別の係止位置および開放位置を取ることができる係止部材を内部に有する支持ボルトに関する。
【背景技術】
【０００２】
上述の種のリフトボルトは、例えば大型の巻型（forming tools）に組み込まれるチェーン、ロープまたはベルトの装着部に使用される。
【０００３】
ＶＤＩ（ドイツ技術者協会）ガイドラインのドラフトＶＤＩ３３６６から、このようなリフトボルトの一般的なものが知られており、このリフトボルトには、いわゆる「ドロップリング係止機構」が設けられている。この係止機構は、リフトボルトの両端で孔に挿入されるコッターピン状の係止機構または側壁の横孔に打ち込まれる係止ピン形状の係止機構と比較した場合、係止部材が一体（captive）であるという利点があるが、これらの係止機構ではドロップリングは、少なくとも巻き上げ装置の側部部材の孔の挿通前のリフトボルトを取り外す際に係止位置から手動で取り外さなければならず、オペレーターがしばしば指に怪我をするので、操作の容易性という条件を満たすことができない。公知の係止機構は、重力を利用しているので、汚れやすい。
【発明の開示】
【発明が解決しようとする課題】
【０００４】
本発明の目的は、便利で、かつ、非常に安全なリフトボルトを提供することである。
【課題を解決するための手段】
【０００５】
この目的は、リフトボルトにその横手方向に延びた孔とこの孔と交差する長手方向に延びた孔が設けられ、横手方向孔にブロックボルトと、このブロックボルトを係止位置に強制的に位置させるスプリングが配され、一方長手方向孔には、ブロックボルト用の作動ボルトが案内され、ブロックボルトは、斜めの面を有する凹部を有し、この斜めの面を介して、凹部に案内された作動ボルトの一部によって、スプリングの力に抗して、ブロックボルトをその係止位置から外す動きがブロックボルトに伝わる本発明によって達成される。
【０００６】
本発明のリフトボルトは、嵌め込みおよび取り外しが迅速に問題なく行えるという利点がある。また全ての機能的に重要な部材は、リフトボルトの内部に配されているので、汚れによる係止部材の不具合を心配する必要がない。
【０００７】
本発明のさらなる特徴および詳細は、サブクレームおよび図面を参照して説明される次の本発明の特に有効な態様から明らかになる。
【発明を実施するための最良の形態】
【０００８】
図に示した符号１、２は、リフトチーク（cheek）３によって形成されたリフト装置の側部部材である。
【０００９】
側部部材１、２は、リフトボルト４によって橋渡しされる空間５を制限し、このリフトボルトは、吊り上げチェーンストランドの端部部材（図示せず）または巻上げロープのシンブルに挿通される。
【００１０】
リフトチーク３がボルト止めされる、または溶接される荷が巻き上げられる際に絶対にリフトボルト４が緩まないようにするために、リフトボルトには位置−係止機構が設けられている。この機構は、一方に環状のフランジによって形成された端部止め６と、他方にスプリング８によって強制的にブロック位置内に位置させられ、作動ボルト９によってブロック位置から外されるブロックボルト７とを含む。ブロックボルト７とスプリング８は、リフトボルトの横手方向に延びた孔１０に収容され、この孔は、作動ボルト９が案内されるリフトボルトの長手方向に延びた孔１１と交差している。
【００１１】
特に図６と７から判るように作動ボルト９は、その自由端に斜めの面１２と、これに隣接するラッチカム１３とを有し、このラッチは、作動ボルト９が組み込まれた際にブロックボルトを把持し、これにより作動ボルト９とブロックボルト７とが確実に結合する。作動ボルト９の長手方向に延びた軸１４に対して垂直な止め面１５が作動ボルト９の上昇を制限する。
【００１２】
ラッチカム１３を有する作動ボルト９の端部は、ブロックボルト７に凹部１６に係合し、この凹部は、作動ボルト９の斜めの面１２と協働するように設計された斜めの面１７を有する。
【００１３】
ブロックボルト７の斜めの面１７は、ブロックボルト７の長手方向に延びた軸１８に対して約５０度の角度αを形成し、作動ボルト９の斜めの面１２と作動ボルトの長手方向に延びた軸１４との角度は、約４０度である。ブロック位置でリフトボルト４の周囲を越えて突出するブロックボルト７の端部にさらに別の斜めの面１９が設けられており、この斜めの面は、ブロックボルト７の長手方向に延びた軸１８に対して約６０度の角度γを形成する。
【００１４】
この斜めの面１９とブロックボルト７に作動ボルト９との組み合わせによって、リフトボルト４がリフトチーク３の側部部材１、２の互いに位置合わせされた孔２０、２１内に挿入された際に作動ボルト９が図９に示した位置に自動的に移動させられる。ブロックボルト７が側部部材１の前壁２２を通過するとすぐに、ブロックボルト７の端部は、スプリング８によって図８に示す位置に戻され、リフトボルト４は、リフトチーク３に確実に保持される。
【００１５】
係止機構の部材７、８および９を容易に嵌め込んだり、外したりできるように、ブロックボルト７には挿入溝２３が設けられており、ブロックボルト７が、例えば鉛筆や先の尖ったものでスプリング８の作用に抗して矢印２４に示す方向に強制的に図１０に示す位置に移動させることによって、この溝を介してラッチカム１３が通過することができる。
【図面の簡単な説明】
【００１６】
【図１】側部部材によって制限された空間がリフトボルトによって橋渡しされたリフトチークの前面図である。
【図２】図１のＩＩ−ＩＩ線に沿った断面図である。
【図３】図１のＩＩＩ−ＩＩＩ線に沿った断面図である。
【図４】図３のＩＶの部分の拡大図である。
【図５】図２のＶの部分の拡大図である。
【図６】リフトボルトの係止機構の部材を表す第１の斜視図である。
【図７】リフトボルトの係止機構の部材を表す第２の斜視図である。
【図８】係止位置での図１乃至７に示したリフトボルトの図３の拡大断面図である。
【図９】非係止位置での図１乃至７に示したリフトボルトの図３の拡大断面図である。
【図１０】係止機構を形成する部材の取り外し時の図１乃至７に示したリフトボルトの図３の拡大断面図である。
【図１】
2007533929.tif 000003
【図２】
2007533929.tif 000004
【図３】
2007533929.tif 000005
【図４】
2007533929.tif 000006
【図５】
2007533929.tif 000007
【図６】
2007533929.tif 000008
【図７】
2007533929.tif 000009
【図８】
2007533929.tif 000010
【図９】
2007533929.tif 000011
【図１０】
2007533929.tif 000012
【国際調査報告】
2007533929.tif 000013
2007533929.tif 000014
2007533929.tif 000015
2007533929.tif 000016